(57)【要約】  本発明は、基板(14)の露出縁(12)への取付けのための調整可能な取付けブラケット(10)に関する。取付けブラケット(10)は、チューブ材等を基板(14)に対して支持するように構成され、一対のほぼＬ字形状のブラケット部材(16,18)を有する。一対のブラケット部材(16,18)は、摺動可能な上下一対の取付けプレート(24,26)と、摺動により互いに分離可能な一対のクランプジョープレート(20,22)を有する。クランプジョープレート(20,22)は、結合剤を支持する対向面(50,52)を有し、基板(14)の縁部(12)の互いに反対側に位置する面に着座される。弾性的な固定ピン(30)が、結合剤の硬化時間の間、クランプジョープレート(20,22)を基板(14)の縁部(12)に押付ける積極的な力を付与し、その後、取付けブラケット(10)から強制的に取外される。
2009536999.tif 000002
【特許請求の範囲】
【請求項１】
調整可能な取付けブラケットであって、
第１のブラケット部材と、第２のブラケット部材と、を有し、
前記第１のブラケット部材及び前記第２のブラケット部材の各々は、取付けプレートと、前記取付けプレートに対して角度がつけられた向きに配置されたクランプジョープレートと、を有し、
前記第１のブラケット部材の取付けプレートは、その中に形成された細長いポートスロットを有し、前記ポートスロットは、ほぼ前記第１のブラケット部材のクランプジョープレートに向かって延び、
前記第２のブラケット部材の取付けプレートは、その中に形成されたポートを有し、
更に、ネック部分を有する弾性的な固定ピンを有し、前記ネック部分は、半径方向に拡径した一対の当接部の間を延び、且つ、前記ポートスロット及び前記ポートの中に受入れられ、それにより、前記第１及び第２のブラケット部材のクランプジョープレートが間隔を隔てた関係を有するように、前記第１及び第２のブラケット部材の取付けプレートを摺動可能に上下に重ねた関係に保持し、
前記第１のブラケット部材のクランプジョープレートと第２のブラケット部材のクランプジョープレートの間隔を調整可能に選択するために、前記第１のブラケット部材の取付けプレートは、前記第２のブラケット部材の取付けプレートに対して前記ポートスロットの制限範囲内で摺動可能であり、
前記第１及び第２のブラケット部材のクランプジョープレートは、互いに対向するそれぞれの面を有し、これらの面は、取付けブラケットを基板の縁部に取付けるために調整可能に間隔を隔てた一対の面を構成し、選択された結合剤を支持し、基板の縁部の互いに反対側に位置する側面に着座し、
前記固定ピンは、前記一対の当接部の一方が前記ポートスロットに対してほぼクランプジョープレートに向かって移動される変形位置に移動可能であるとともに、ポートと整列しない位置に移動可能であり、それにより、前記ネック部分を引伸ばして細長くし、クランプジョープレートを互いに向かって押す積極的な力を付与する、取付けブラケット。
【請求項２】
前記第１及び第２のブラケット部材のクランプジョープレートは、間隔を隔て且つほぼ平行な関係をなす向きに配置される、請求項１に記載の取付けブラケット。
【請求項３】
前記第１及び第２のブラケット部材の各々は、前記取付けプレートが前記クランプジョープレートに対してほぼ直角に配置されたほぼＬ字形の形態を有する、請求項１に記載の取付けブラケット。
【請求項４】
前記選択された結合剤は、硬化可能な結合剤を含み、
前記固定ピンは、少なくとも前記硬化可能な結合材の硬化時間の間、前記第１及び第２のブラケット部材のクランプジョープレートの対向する面を、基板の縁部の互いに反対側に位置する側面にしっかりと着座させ且つ係合させるように押す積極的な力を付与する、請求項１に記載の取付けブラケット。
【請求項５】
前記固定ピンは、前記硬化可能な結合剤の硬化時間が終わると、前記第１及び第２のブラケット部材から取外し可能である、請求項４に記載の取付けブラケット。
【請求項６】
更に、前記第２のブラケット部材の取付けプレートによって支持されるファスナー部材を有し、前記固定ピンの一対の当接部はそれぞれ、前記ファスナー部材及び前記第１のブラケット部材の取付けプレートに係合する、請求項１に記載の取付けブラケット。
【請求項７】
前記ファスナー部材は、ねじ山付きナットを有する、請求項６に記載の取付けブラケット。
【請求項８】
更に、選択された構造体を前記取付けブラケットに取付けるための手段を有し、それにより、前記取付けブラケットは、選択された構造体を基板の縁部に対して支持する、請求項１に記載の取付けブラケット。
【請求項９】
前記固定ピンは、更に、前記一対の当接部少なくとも一方から延びる細長いテール部を有する、請求項１に記載の取付けブラケット。
【請求項１０】
調整可能な取付けブラケットであって、
第１のブラケット部材を有し、前記第１のブラケット部材は、第１の取付けプレートと、前記第１の取付けプレートに対して角度がつけられた向きに配置された第１のクランプジョープレートと、を有し、前記第１の取付けプレートは、その中に形成された細長いポートスロットを有し、前記ポートスロットは、ほぼ前記第１のクランプジョープレートに向かって延び、
更に、第２のブラケット部材を有し、前記第２のブラケット部材は、第２の取付けプレートと、前記第２の取付けプレートに対して角度がつけられた向きに配置された第２のクランプジョープレートと、を有し、前記第２の取付けプレートは、その中に形成されたポートと、前記ポートとほぼ整列するように支持されたファスナー部材とを有し、
更に、固定ピンを有し、前記固定ピンは、半径方向に拡径した第１の当接部と第２の当接部との間を延びる弾性的なネック部分を有し、
前記固定ピンのネック部分は、前記第１の取付けプレートのポートスロット及び前記第２の取付けプレートのポートの中を延び、前記第１の当接部及び前記第２の当接部はそれぞれ、第１の取付けプレート及び前記第２の取付けプレートが摺動可能に上下に重なる関係を有し且つ第１のクランプジョープレート及び前記第２のクランプジョープレートが間隔を隔てた関係を有するように、第１の取付けプレート及び前記第２の取付けプレートに係合し且つそれらを保持し、前記第１の取付けプレートは、前記第１のクランプジョープレートと第２のクランプジョープレートの間隔を変えるために、前記第１の取付けプレートのポートスロットの制限内で第２の取付けプレートに対して摺動可能であり、
前記第１のクランプジョープレート及び第２のクランプジョープレートは、互いに対向するそれぞれの面を有し、前記対向面は、取付けブラケットを基板の縁部に取付けるために、調整可能な間隔を隔てた対を構成し、選択された結合剤を支持し、基板の縁部の両側に着座し、
前記固定ピンは、前記第１の当接部が前記ポートスロットに対してほぼクランプジョープレートに向かう方向に移動される変形位置に移動可能であるとともに、前記ポートと整列しない位置に移動可能であり、それにより、前記ネック部分を引伸ばして細長くし、クランプジョープレートを互いに向かって押す積極的な力を付与する、取付けブラケット。
【請求項１１】
前記第１のクランプジョープレート及び前記第２のクランプジョープレートは、間隔を隔て且つほぼ平行な関係をなす向きに配置される、請求項１０に記載の取付けブラケット。
【請求項１２】
前記選択された結合剤は、硬化可能な結合剤を含み、
前記固定ピンは、少なくとも前記硬化可能な結合材の硬化時間の間、前記第１のクランプジョープレート及び第２のクランプジョープレートの対向する面を、基板の縁部の両側にしっかりと着座係合させるように押す積極的な力を付与する、請求項１０に記載の取付けブラケット。
【請求項１３】
前記固定ピンは、前記硬化可能な結合剤の硬化時間が終わると、前記第１のブラケット部材及び第２のブラケット部材から取外し可能である、請求項１２に記載の取付けブラケット。
【請求項１４】
前記第２の当接部は、前記ファスナー部材に係合する、請求項１０に記載の調整可能な取付けブラケット。
【請求項１５】
前記ファスナー部材は、ねじ山付きナットを有する、請求項１４に記載の取付けブラケット。
【請求項１６】
前記第１の当接部は、前記第１の取付けプレートに摩擦係合する比較的大きい表面積の停止肩部を有する、請求項１０に記載の取付けブラケット。
【請求項１７】
前記第２の当接部は、比較的小さい停止肩部を有し、前記比較的小さい停止肩部は、前記固定ピンを前記ブラケット部材から強制的に取外すとき、つぶれて前記ポート及び前記ポートスロットの中を移動するように構成される、請求項１６に記載の取付けブラケット。
【請求項１８】
前記固定ピンは、更に、前記第１の当接部から延びる細長いテール部を有する、請求項１０に記載の取付けブラケット。
【発明の詳細な説明】
【技術分野】
【０００１】
本発明は、概略的には、支持基板への接着剤取付けによるような連結を可能にするように構成され、且つ、支持基板への選択された構造体（例えば、チューブ材、ワイヤバンドル等）の迅速且つ容易な更なる取付けを可能にするように構成された取付けブラケット及び固定具に関する。更に詳細には、本発明は、基板の露出縁への固着接着剤取付け（例えば、基板から突出するリブへの取付け、又は、基板に形成された開口の内径縁への取付け）を可能にするように設計された、改良された調整可能な取付けブラケットに関する。
【背景技術】
【０００２】
取付け構成要素又は要素（例えば、パッチ、ねじ山付きねじ又はその他の構造体）を基板の支持面の上に固着させるための接着剤取付け組立体又は固定具及びそれに関する方法が、従来技術において一般的に知られている。例えば、飛行機の外板又はボートの船体に、それを修理するための薄いパッチを適用する必要がある。変形例として、基板に作るべき孔を必要とすることなしに、ねじ山付き要素（例えば、ねじ山付きスタッド又はナット、又はその他の装置）を基板（例えば、飛行機パネル）に取付けることが望ましく、ねじ山付き要素等は、選択された構造体（例えば、チューブ材、ワイヤバンドル、電気接続ボックス等）の更なる取付け及び／又は支持を可能にするように構成される。この種類の例示の取付け組立体及びそれと関連した取付け固定具が、米国特許第４，３０２，４９２号、同第３３８，１５１号、同第４，３９０，５７６号、同第４，６６８，５４６号、同第４，７７８，７０２号、同第４，８２２，６５６号、同第４，８４２，９１２号、同第５，０１３，３９１号、同第５，７０４，７４７号、同第５，６０３，４７２号、同第６，７２７，４６６号、及び同第６，７７３，７８０号に図示され且つ記載されており、これらの米国特許を本明細書に援用する。これらの例示の装置では、取付け構成要素を、基板との実質的に最適化された固着結合を達成するように接着結合剤（例えば、硬化可能なエポキシ等）の硬化を可能にする少なくともいくらかの最小時間、基板に当たるように押したり押圧したりする。
【０００３】
他の適用例では、基板は、露出縁を有し、この露出縁は、基板への更なる取付け及び支持に使用される取付け構成要素（チューブ材、ワイヤバンドル、電気接点ボックス及びその他の構造体）の便利な取付けのための位置と寸法を有している。例えば、飛行機内部において、基板パネルが、取付け構成要素を取付けるのに適した厚さ及び高さを有する直立リブを組込んでいるのがよい。変形例として、基板パネルは、それに形成された１つ又は２つ以上の開口（例えば、軽減孔）を、基板パネルの厚さによって構成される内径露出縁を形成するための位置及び寸法で有していてもよく、この露出縁は、取付け構成要素を取付けるための便利な部位を構成する。しかしながら、露出した基板の縁部への接着剤取付けによるような調整可能で迅速且つ容易な接続可能に設計された取付け構成要素は、特に異なる縁壁厚さの範囲に適応させることに関して、利用されていなかった。
【０００４】
２００５年１２月２９日に発行された米国特許出願公開第２００５／０２８４９９５号は、露出した基板の縁部への迅速且つ容易な取付けのための調整可能な取付けブラケットを開示し、取付けブラケットは、ねじ山付き部材（基板に対する選択された構造体（チューブ材、ワイヤバンドル等）の更なる取付けのためのナット又はボルト等）に支持される。調整可能な取付けブラケットは、摺動可能な上下一対の取付けプレートと、それに結合され且つ摺動により分離可能なクランプジョープレートとを有し、取付けプレート及びクランプジョープレートは、一対のほぼＬ字形状のブラケット部材を構成する。選択された接着結合剤が、クランプジョープレートの対向する面に塗布され、この対向する面は、次いで、基板の縁部への固着及び接着剤取付けのために、基板の縁部の互いに反対側に位置する面にしっかりと押付けられる。結合剤硬化時間の後、ねじ山付き部材は、基板に対し支持すべき選択された構造体と組立てられる。
【発明の開示】
【発明が解決しようとする課題】
【０００５】
本発明は、米国特許公開公報第２００５／０２８４９９５号に開示された一般的な種類の改良された調整可能な取付けブラケットに向けられる。
【課題を解決するための手段】
【０００６】
改良された調整可能な取付けブラケットの取付けプレートは、弾性的な固定ピンによって摺動可能に上下に重なる関係に保持されている。この固定ピンは、クランプジョープレートと基板の縁部との間の実質的に最適な接着剤取付け強度を有する界面を形成するために、結合剤硬化時間の間、クランプジョープレートをそれに対向する基板の縁部に押付けて密接に着座させ且つ係合させる積極的な力を付与する作用を行うように構成される。固定ピンは、その後で取付けブラケットから強制的に迅速且つ容易に分離できるように構成される。
【０００７】
本発明によれば、調整可能な取付けブラケットを有する改良された取付け構成要素が、固着と安定取付け（例えば支持基板の露出縁への接着剤取付け）のために設けられ、取付けブラケットは、基板に対する選択された構造体（例えば、チューブ材、ワイヤバンドル等）の迅速且つ容易な更なる取付けができるように構成される。調整可能な取付けブラケットは、摺動自在に互い嵌合する一対のブラケット部材を有し、このブラケット部材の各々は、ほぼＬ字形状の形態を有し、取付けプレートの摺動可能な上下一対の取付けプレート及び摺動により分離可能な一対のクランプジョープレートを協動して構成する。摺動可能に互いに嵌合する取付けプレートは、露出した基板の縁部の互いに反対側に位置する面（例えば、基板から突出するリブへ、又は、基板に形成された開口の内径縁）に押付けられてしっかりと着座させられるように、間隔を調整可能なクランプジョープレートの分離を許容する。弾性的な固定ピンが、取付けプレートによって支持されると共に、結合剤硬化時間の間、クランプジョープレートを基板の縁部の互いに反対側に位置する面に押付ける積極的な力を付与するように作動され、その後、固定ピンを取付けブラケットから強制的に取外す。
【０００８】
本発明の１つの好ましい形態では、固定ピンは、取付けプレートを摺動可能な上下一対の関係に支持し且つ保持するために、選択されたエラストマー材料で形成され且つ整列した取付けプレートポートを通って嵌合された細長い保持部要素を有する。更に詳細には、第１の取付けプレートが、ねじ付き部材（例えば、ねじ山付きナット）を、基板に対して支持すべき選択された構造体との更なる組立てのためにねじ付き部材に形成されたポートとほぼ整列するように支持する。固定ピンは、取付けプレートポート及びそれに結合されたねじ山付き部材を貫いて延びる狭い中央ばね部分を有し、この中央ばね部分の両端はそれぞれ、２つの取付けプレートを摺動可能に上下重なる関係に保持するために、ねじ山付き部材及び第２の取付けプレートを押すように支持し且つ半径方向に拡張された肩部分に接合される。
【０００９】
取付けプレートポートの少なくとも一方は、露出した基板の縁部を受入れるためにクランプジョープレートの間隔を隔てた可変の位置決めに適応するように、及び、基板の縁部の互いに反対側に位置する面を押すように、クランプジョープレートの互いに対向する面にしっかりと着座するように、細長くされる。調整可能なブラケットを基板に固着させて取付けるために、結合剤（例えば、硬化可能なエポキシ、圧力感知接着剤、又は接着剤）でコーティングされた弾性パッド等が、クランプジョープレートの対向する面に付けられる。
【００１０】
半径方向に拡径され且つ第２の取付けプレートに当接する肩部を、基板の縁部に向かって移動させることによって、固定ピンを作用させ、それにより、中央ばね部分を引張って細長くし、固定ピンの肩部を初期位置に向かって戻す張力を中央ばね部分に付与する。しかしながら、半径方向に拡径された肩部が第２の取付けプレートと摩擦係合する面積は、結合剤硬化時間の間、クランプジョープレートを基板の縁部の互いに反対側に位置する面に押付けてしっかりと着座係合させ且つ保持する方向に移動させるように取付けプレートを押す積極的な力を固定ピンの肩部が付与するのに十分に大きいものである。
【００１１】
結合剤を硬化させた後、固定ピンを取付けプレートから引張ること等によって、固定ピンを取付けプレートから強制的に取外し、それにより、基板に対して支持されるように選択された構造体との更なる組立てのために、露出したネジ付き部材を取付け部材に残す。これに関して、ねじ山付きナットの例では、ねじ山付きナットは、選択された構造体（例えば、或る長さのチューブ材、ワイヤバンドル等）を取付けブラケットに連結するのに使用されるねじ山付きボルト又はねじと螺合連結可能に構成される。
【００１２】
本発明のその他の特徴及び利点は、本発明の原理を例示的に示す添付図面と関連した以下の詳細な説明から当業者に明らかであろう。
【発明を実施するための最良の形態】
【００１３】
添付図面は、本発明を示す。
【００１４】
例示図面に示すように、図１において参照番号１０によって全体的に参照する調整可能な取付けブラケットが、基板１４の上に形成された露出縁１２（例えば、図示の直立リブ）の上への迅速且つ容易な取付け（例えば、接着剤連結）のために設けられている。取付けブラケット１０は、一対の調整可能なブラケット部材１６、１８を有し、各ブラケット部材１６、１８は、ほぼＬ字形の形態を有しており、一対のブラケット部材１６、１８は、一方が他方の内側に且つ互いに対して摺動可能に配置されると共に、一対のクランプジョープレート２０、２２を有し、一対のクランプジョープレート２０、２２は、基板の直立リブ又は露出縁１２において互いに対して反対側に設けられた面への固着及び安定した接着剤取付けを可能にするように構成されている。取付けブラケット１０は、更に、互いに対して摺動可能な上下一対の取付けプレート２４、２６を有し、取付けプレート２４、２６は、基板１４に対する１つ又は２つ以上の選択された構造体２８（例えば、チューブ材、ワイヤバンドル等の１つ又は２つ以上の長さ方向部分。図９参照）の便利な取付け支持を可能にするように構成されている。
【００１５】
本発明の第１の側面によれば、最初、ブラケット部材１６、１８は、摺動可能な上下一対の取付けプレート２４、２６を貫いて延びる弾性的な固定ピン３０によって、一方が他方の内側に配置されるネスト形態に支持され且つ保持される。固定ピン３０は、上下一対の取付けプレート２４、２６の互いに対する摺動を許容し、その結果、上下一対の取付けプレート２４、２６に結合されたクランプジョープレート２０、２２は、それらを互いに近づけたり遠ざけたりすることによって、基板の縁部１２の互いに反対側に位置する面に嵌合し、それらを押すように着座する。この位置において、固定ピン３０は、クランプジョープレート２０、２２を基板の縁部１２の互いに反対側に位置する面に向かってしっかりと押す又は引張る積極的な力を付与するように作動可能であり、それにより、実質的に最適化された強さを有する上記互いに反対側に位置する面との接着剤結合取付け界面が形成され。
【００１６】
図１〜図４は、１つ又は２つ以上の選択された予備構造体（例えば、図９に示す或る長さのチューブ材２８）の基板１４に対する固着及び安定した取付けのための、１つの好ましい形態による本発明の調整可能な取付けブラケット１０を示す。これに関して、基板１４は、露出縁（例えば、図示の直立リブ１２）を内蔵するように、例えば飛行機の構造内で使用される種類の比較的肉薄のパネル又は非金属パネルを有するのがよい。調整可能な取付けブラケット１０は、露出した基板の縁部１２への迅速かつ容易な取付けを可能にするように設計され且つ一定範囲の異なる縁壁厚さに適合する構成要素を有する。
【００１７】
調整可能な取付けブラケット１０は、一対のほぼＬ字形のブラケット部材１６、１８を有し、ブラケット部材１６、１８は、適当な金属又は非金属材料で構成され、各ブラケット部材１６、１８は、ほぼＬ字形の形態を有している。第１の即ち外側のブラケット部材１６は、クランプジョープレートの一方２０を有し、クランプジョープレート２０は、その一方の端部が、第１の外側のブラケット部材１６の取付けプレート２４に接合され、この取付けプレート２４は、クランプジョープレート２０からそれに対してほぼ直角に延びるように示されている。第２のブラケット部材１８は、内側のブラケット部材を構成し、取付けプレート２６を有し、この取付けプレート２６は、外側の取付けプレート２４の下側において外側の取付けプレート２４に対して摺動し且つ平行である関係を有するように配置され、それにより、第２のブラケット部材１８の第２のクランプジョープレート２２は、外側の取付けプレート２４の下において、摺動により外側のクランプジョープレート２０に対して分離可能であり且つほぼ平行である関係を有するように配置される。これらのブラケット部材１６、１８はそれぞれ、クランプジョー２０、２２と取付けプレート２４、２６の間がほぼ直角の形態で示されているけれども、当業者は、それに代わる角度の向きを使用してもよいことを認識すべきである。
【００１８】
第２のブラケット部材１８の取付けプレート２６は、取付けブラケット１０によって基板１４に対して支持するように選択された構造体２８を支持するのに引続いて使用されるファスナー部材３２（例えば、ねじ山付きナット）を有している。図２及び図３は、このねじ山付き部材３２を、雌ねじ山付きナットの形態で示し、雌ねじ山付きナットは、取付けプレート２６の下側において小程度の浮動が可能であるようにナット保持部３４によって支持されている。このナット保持部３４は、米国特許第５，０１３，３９１号に開示された仕方と同じ仕方で取付けプレート２６に構成され且つ設置され、上記米国特許を本明細書に援用する。重要なのは、ナット保持部３４がナット３２を、ナット３２が結合されている取付けプレート２６に形成されたポート３６と実質的に同軸に整列するように支持しており、このポート３６は、第１の即ち上側のブラケット部材１６の摺動可能な上側の取付けプレート２４に形成された細長いポートスロット３８とほぼ整列していることである。固定ピン３０は、取付けプレート２４、２６を摺動可能な望ましい上下関係で最初に保持するために、取付けプレート２４、２６の開口３６、３８の中を延び、細長いポートスロット３８は、取付けプレート２４に結合しているクランプジョープレート２０にほぼ向かって延び、このクランプジョープレート２０を他方のクランプジョープレート２２に近づけたりそれから遠ざけたりする方向への外側の取付けプレート２４の摺動を許容する。
【００１９】
図示の好ましい形態では、固定ピン３０は、適当なエラストマー材料等で形成された細長いロッド状構成要素を有し、ロッド状構成要素は、好ましくは、一部品又は単一成形品であり、取付けプレートの開口３６、３８の中を通り抜けると共にねじ山付きナット３２も通り抜ける寸法及び形状を有する引伸ばし可能な中央スプリング、即ち、ネック部分を有している。この中央スプリング部分は、軸線方向において、半径方向に拡径された一対の当接部４２、４４の間に形成され、当接部４２、４４はそれぞれ、軸線方向において互いに向かい合うように設けられた一対の停止肩部４３、４５を有しており、停止肩部４３は、ナット３２の下側縁部に係合し、停止肩部４５は、外側取付けプレート２４に形成された細長いポートスロットの周りの領域において、外側取付けプレート２４の露出した上面に係合する。これに関して、好ましい形態では、下側の停止肩部４３は、ナット３２の下側縁部又は下端部に係合する停止部を形成するのに十分な半径方向寸法を有する比較的小さい輪郭を有しており、上側の停止肩部４５は、外側の取付けプレート２４の露出した上面に係合する実質的に比較的大きい表面積を有する実質的に比較的大きい輪郭を有している。後で詳細に説明するように固定ピン３０を取付けブラケット１０から強制的に取外す間、固定ピン３０を手で掴むことを容易にするために、比較的小さい断面の細長いテール部４６が上側の当接部４４から上方に突出している。
【００２０】
使用の際、適当な結合剤４８（図１、例えば、硬化可能なエポキシ）を２つのクランプジョープレート２０、２２の嵌合内面、即ち、互いに対向する面５０、５２に塗布する。次いで、２つの取付けプレート２４、２６を互いに対して適当に摺動させることによって、クランプジョープレート２０、２２の間隔を調節して選択する。上側の取付けプレート２４の細長いポートスロット３８は、長手方向寸法を有し、この長手方向寸法は、クランプジョープレート２０、２２が或る範囲の異なる厚さ寸法を有する基板の縁部１２の互いに反対側に位置する面に嵌合し且つしっかりと着座するのに適した調整範囲にわたって分離方向に移動することを許容するのに十分なものである。結合剤が塗布されたクランプジョープレート２０、２２は、図１の点線当接領域によって示すように、基板の縁部を構成する直立リブ１２又はその他の構造体の互いに反対側に位置する面にしっかりと着座し、即ち、当接する。この位置において、内側ブラケット部材１８は、外側ブラケット部材１６に対して調整可能に配置されており、これは、一対のクランプジョープレート２０、２２を基板のリブ即ち縁１２にしっかりと当接させて着座させ、好ましくは締付け、即ち、クランプ留めする方向に、内側取付けプレート２６を摺動させることによるものである（図５及び図６）。
【００２１】
次いで、図７に示すように、固定ピン３０を、ポートスロット３８に対してポートスロット３８に沿って横方向に変形位置まで移動させ、接着剤を支持している（塗布した）クランプジョープレート２０、２２を基板の縁部１２にしっかりと押付ける積極的な力を効果的に付与する。更に詳細には、図示のように、上側当接部４４をポートスロット３８に沿って、クランプジョープレート２０、２２及びそれらの間に配置された基板の縁部１２に向かって（矢印５５で示す方向に）手で移動させる。この上側当接部４４の移動は、外側の取付けプレート２４に形成された細長いポートスロット３８の制限内で行われると共に、下側の即ち内側の取付けプレート２６のポート３６と横方向に整列しない位置まで行われる。この移動は、固定ピン３０の中央ネック部分４０を図示の曲げ形態、即ち、変形形態まで引伸ばして細長くするように機能する。その結果、中央ネック部分４０は、上側当接部４４と下側当接部４２との間に作用する張力を付与し、この張力は、図７の矢印４１で示すように、垂直方向と水平方向の両方のベクトル成分を有している。即ち、上側当接部４４の停止肩部４５は、外側の取付けプレート２４の露出上面に下方向にしっかりと押付けられると共に、外側の取付けプレート２４に結合したクランプジョープレート２０を、それが基板の縁部１２の一方の側面にしっかりと押付けられるように水平方向に引張る（矢印５７で示す）。同様に、下側当接部４２の停止肩部４３は、ナット３２の下側縁部に上方向にしっかりと押付けられると共に、ナット３２に結合したクランプジョープレート２２が基板の縁部１２の反対側の側面にしっかりと押付けられるように、ナット３２をほぼ水平方向に引張る（矢印５９で示す）。重要なことは、外側の取付けプレート２４とそれと係合した停止肩部４５との間の係合面積に作用する摩擦は、結合剤４８が実質的に硬化することを達成するのに十分な時間、固定ピン３０を変形形態に保持するのに十分なことである（図７）。
【００２２】
結合剤を実質的に完全に硬化させたとき、図８の矢印６０で示すように、細長い上側のテール部４６を掴んでそれを引張ることによって、固定ピン３０を取付けブラケット１０から強制的に分離させる。これに関して、結合剤を実質的に硬化させたときの結合剤取付け強度は、固定ピン３０を軸線方向上方に引張るのに必要な力（小さい方の下側当接部４２を上向きに移動させてそれをナット３２の中でつぶし又は圧縮してナット３２を通り抜けさせ、接着剤で固定されたブラケット１０から分離させるのに十分な力を含む）を著しく超えている。固定ピン３０をこのように取外すことにより、選択された構造体２８（例えば、或る長さのチューブ材２８等を支持するクランプブラケット５８等を取付けるのに使用するねじ５６（図９参照））への更なる連結のために、ねじ山付きナット３２を、上下一対の取付けプレート２４、２６に形成された開口３６、３８を介して露出させたまま残す。取付けブラケット１０に取付けるのに適した構造体２８の変形の形態及び種類は、当業者に明らかである。
【００２３】
１つの実施形態を説明の目的で詳細に記載したけれども、種々の変更を、本発明の範囲及び精神から逸脱することなしに行ってもよい。例えば、当業者は、本明細書に示し且つ説明した変形の好ましい形態の任意の１つに示し且つ説明した種々の特徴が、説明したその他の任意の形態に採用されてもよいことを認識し且つ理解すべきである。従って、本発明は、特許請求の範囲の記載以外、上述した説明、添付図面によって限定されない。
【図面の簡単な説明】
【００２４】
【図１】基板の露出縁の上に取付けるための、本発明の好ましい形態による調整可能な取付けブラケットの分解斜視図である。
【図２】弾性的な固定ピンを分解した、図１の取付けブラケットを示す垂直方向断面図である。
【図３】組立てられた取付けブラケット及び固定ピンを示す垂直方向断面図である。
【図４】図３の線４−４における水平方向断面図である。
【図５】基板の縁部の上に設置された調整可能な取付けブラケットを示す、図１と同様の斜視図である。
【図６】図５の線６−６における垂直方向断面図である。
【図７】取付けブラケットの間隔を隔てた一対のクランプジョープレートを基板の縁部の互いに反対側に位置する側面にしっかりと押付ける積極的な力を付与する固定ピンの作用を示す、図６と同様の断面図である。
【図８】固定ピンを調整可能な取付けブラケットから強制的に取外した、図６及び図７と同様の断面図である。
【図９】選択された構造体を基板の縁部に対して支持するために設置された取付けブラケットを示す分解斜視図である。
【図１】
2009536999.tif 000003
【図２】
2009536999.tif 000004
【図３】
2009536999.tif 000005
【図４】
2009536999.tif 000006
【図５】
2009536999.tif 000007
【図６】
2009536999.tif 000008
【図７】
2009536999.tif 000009
【図８】
2009536999.tif 000010
【図９】
2009536999.tif 000011
【国際調査報告】
2009536999.tif 000012